(57)【要約】  本発明は、レンズ合焦プロセスを、各表面に複数の湾曲軸状光学要素を組み込む２つ以上の表面に分割する。軸状光学系は、鋳造、機械加工、又は吊架薄膜（２４８）によって製造することができる。吊架薄膜が使用される場合、光学系の両側が、透明な吊架薄膜を有する場合がある。別法として、吊架薄膜光学系の一方の側が、反射薄膜を使用する場合がある。
2007516469.tif 000002
【特許請求の範囲】
【請求項１】
第１の独立軸状光学要素の配列と、
第２の独立軸状光学要素の配列であって、前記第１の独立軸状光学要素の配列に電磁気的に連絡し、入射する平行光に対して複数の焦点を形成するように相対的に配置され、それにより複数の映像が作られるようになっている第２の独立軸状光学要素の配列と
を含む光学システム。
【請求項２】
前記第１の独立軸状光学要素の配列が、正弦、曲線、バッフル付き、平坦頂点形成、及び不均一曲線からなる群から選択される断面を有することができる請求項１に記載された光学システム。
【請求項３】
前記第２の独立軸状光学要素の配列が、正弦、曲線、バッフル付き、平坦頂点形成、及び不均一曲線からなる群から選択される断面を有することができる請求項１に記載された光学システム。
【請求項４】
透明薄膜と、
前記透明薄膜に固定された凝固充填材料と
を含む独立軸状光学要素の配列。
【請求項５】
正弦、曲線、バッフル付き、平坦頂点形成、及び不均一曲線からなる群から選択される断面を有する請求項４に記載された独立軸状光学要素の配列。
【請求項６】
反射薄膜と、
前記反射薄膜に固定された凝固充填材料と
を含む独立軸状光学要素の配列。
【請求項７】
正弦、曲線、バッフル付き、平坦頂点形成、及び不均一曲線からなる群から選択される断面を有する請求項４に記載された独立軸状光学要素の配列。
【請求項８】
第１の独立軸状光学要素の配列と、
前記第１の配列に接合された第２の独立軸状光学要素の配列と
を含む光学システム。
【請求項９】
前記第１の配列が、透明薄膜と凝固充填材料とを含み、前記第２の配列が、透明薄膜と凝固充填材料とを含む請求項８に記載された光学システム。
【請求項１０】
前記第１の配列が、透明薄膜と凝固充填材料とを含み、前記第２の配列が、反射薄膜と凝固充填材料とを含む請求項８に記載された光学システム。
【請求項１１】
前記第１の独立軸状光学要素の配列が、正弦、曲線、バッフル付き、平坦頂点形成、及び不均一曲線からなる群から選択される断面を有することができる請求項８に記載された光学システム。
【請求項１２】
前記第２の独立軸状光学要素の配列が、正弦、曲線、バッフル付き、平坦頂点形成、及び不均一曲線からなる群から選択される断面を有することができる請求項８に記載された光学システム。
【請求項１３】
光学配列を製造する方法において、光学材料に一連の平行な切断を行い、一連の湾曲した軸状光学要素を形成する段階を含む、光学配列を製造する方法。
【請求項１４】
光学配列用の金型を製造する方法において、金型材料に一連の平行な切断を行い、一連の湾曲した軸状光学要素用の金型を形成する段階を含む、光学配列用の金型を製造する方法。
【請求項１５】
光学配列を製造する方法において、
薄膜をツール上に吊架する段階と、
前記薄膜に差圧を加え、前記薄膜の一部分を湾曲位置に移動させる段階と、
前記薄膜の一方の側に充填材料を付与して、軸状光学配列を形成する段階と
を含む、光学配列を製造する方法。
【請求項１６】
前記軸状光学要素の配列が、正弦、曲線、バッフル付き、平坦頂点形成、及び不均一曲線からなる群から選択される断面を有することができる請求項１５に記載された光学システム。
【発明の詳細な説明】
【技術分野】
【０００１】
本発明は、２００３年１１月１８日に出願された「Ｏｐｔｉｃａｌ  Ａｒｒａｙｓ  Ｔｈａｔ  Ｃａｎ  Ｂｅ  Ｅａｓｉｌｙ  Ｍａｎｕｆａｃｔｕｒｅｄ  Ｏｖｅｒ  ａ  Ｌａｒｇｅ  Ｒａｎｇｅ  ｏｆ  Ｓｉｚｅｓ  Ａｎｄ  Ｄｅｎｓｉｔｉｅｓ（広範囲の寸法および密度にわたって容易に製造できる光学配列）」という名称の米国仮出願第６０／５２３０７６号の利益を主張するものである。上記出願の開示は、その全体を参照として本明細書に援用する。
【０００２】
本出願は、２００３年１１月１８日に出願され、さらに２００４年１１月１８日に米国非仮出願として出願された「Ｒｅｆｌｅｃｔｉｖｅ  Ｍｕｌｔｉ−Ｉｍａｇｅ  Ｓｕｒｆａｃｅ（反射性複数映像面）」という名称の米国仮出願第６０／５２３００６号に関係付けられる。本出願は、２００４年１月１６日に出願された「Ｓｐａｔｉａｌｌｙ  Ｍｕｌｔｉｐｌｅｘｅｄ  Ｉｍａｇｅ  Ｐｒｏｊｅｃｔｏｒ（空間的に多重化された映像投影装置）」という名称の米国仮出願第６０／５３６８６１号に関係付けられる。本出願は、２００４年５月２５日に出願された「Ｃａｔａｄｉｏｐｔｒｉｃ  Ｐｒｏｊｅｃｔｉｏｎ  Ｓｃｒｅｅｎ（反射屈折型投影スクリーン）」という名称の米国仮出願に関係付けられる。本出願は、２００４年１０月７日に出願された「Ｐｒｏｊｅｃｔｉｏｎ−Ｒｅｃｅｉｖｉｎｇ  Ｓｕｒｆａｃｅ  Ｔｈａｔ  Ｆｕｎｃｔｉｏｎｓ  ｉｎ  Ｓｔｒｏｎｇ  Ａｍｂｉｅｎｔ  Ｌｉｇｈｔ（強い周辺光において機能する投影受光面」という名称の米国出願第１０／９６１８３４号に関係付けられる。
【０００３】
本発明は、レンズ配列、レンズ配列を作製する方法、及び様々なレンズ配列システムの構成に関するものである。
【背景技術】
【０００４】
湾曲した軸状（ａｘｉａｌ）要素を使用する光学配列には、いくつかの用途がある。しかし、過去の取組みは、シャワー・ドア用のプライバシー・ガラス（配列をなすように接合された一連の円柱形状ガラス）のような要素の使用に向けられていた。したがって、そのような要素を光学特性要素の任意のレンズとして構成する取組みは知られていない。そのような取組みがあったとしても、配列した多数のレンズ要素を製造するという難点、非常に小さなレンズを有する配列を製造することの不可能性、及び配列作製ツールが製造された後にレンズの特性を変更することに関連する問題が存在する。これらは全て、光学レンズ配列の使用の有用性及び範囲を現在制限している欠点である。そのようなツールを作製することは、非常に費用がかかり、非常に難しく、作製された後の修正を行いにくい。
【発明の開示】
【課題を解決するための手段】
【０００５】
本発明は、全く異なる手法を取ることによって上記の欠点を克服するものである。具体的には、本発明は、レンズ合焦プロセスを、各表面に複数の軸状光学要素を組み込まれた２個以上の表面に分割する。ここで「軸状光学系」は、例として円柱レンズの使用を含むものである。円柱レンズの場合、レンズが円柱の軸線に対して横方向に切断されると、その切断面が、レンズに沿ったどの場所の横断面とも同じ輪郭を示す。
【０００６】
本発明は円柱レンズに決して限定されないが、円柱レンズは、便利であり簡単に理解される軸状光学系の一例である。同様に、本発明は、光以外のエネルギー（例えば、音波及び無線波）を包含するが、視覚システムが容易に分かりやすいので、本明細書における記載は光に限定する。
【０００７】
軸状光学系は、鋳造、機械加工、又は吊架（ｓｕｓｐｅｎｄ）薄膜によって製造することができる。吊架薄膜が使用される場合、いくつかの選択肢がある。第１に、光学系の両側が、透明な吊架された薄膜を有する場合がある。これは、複数映像デバイス及び背面映写スクリーンを含む実用的な用途をもたらし、それら両方を以下でより詳細に説明する。第２に、光学系の一方の側が反射薄膜を使用する場合があり、以下でより詳細に説明する前面映写スクリーン、及び２００４年１１月１８日に出願された「Ｒｅｆｌｅｃｔｉｖｅ  Ｍｕｌｔｉ−Ｉｍａｇｅ  Ｓｕｒｆａｃｅ（反射性複数映像面）」という名称の同時係属の関連する米国出願で説明されるタイプの複数映像デバイスなどの実用的な用途をもたらす。
【０００８】
本発明の大きな実用的な効果は、小さな領域内に多数の光学要素を作製することができること（平方センチメートル当たり約１００個（平方フィート当たり約９００００個）の個別レンズ）、及び必ずしもレンズ要素用の工作器具（ツール）を変更する必要なくレンズ曲率を変えることができることである。
【０００９】
本発明の適用可能なさらなる領域は、本明細書で以後に提供する詳細な説明から明らかになろう。詳細な説明及び特定の実施例は、本発明の好ましい実施例を示すが、単に例示の目的として意図されており、本発明の範囲を限定する意図のものではないことを理解されたい。
【実施例】
【００１０】
本発明は、詳細な説明及び添付図面からより完全に理解されよう。
【００１１】
（１つ又は複数の）好ましい実施例の以下の説明は、単に例示的な性質のものであり、本発明、その用途、又は使用法を限定することは決して意図されていない。
【００１２】
軸状光学系
本発明の他の観点をさらに詳細に論じていく前に、軸状光学系の概念、及び本発明によって軸状光学系を得ることのできる方法を説明することは有用である。軸状光学系は、以下で説明するように、機械加工によって、又は鋳造によって得ることができる。
【００１３】
初めに、軸状光学系は、機械加工によって得ることができる。特に、ミリング（フライス削り）操作では、光適合材料の部片を加工機の床に取付け、連続軸に沿って切断ツール（ボール・ミル又はその他の切断形態など）に供給して、少なくとも一視点から検査すると直線である連続切断面を得ることができる。次いで、加工機の床をずれさせて、同じ上記視点で観察するとやはり直線であり、第１のカットにほぼ平行な切断面を形成できる。これらの平行な切断面が軸状光学系を形成する。追加の平行な切断を続けることにより、軸状光学系の配列を作製することができる。
【００１４】
軸状光学系を得るための別の機械的な方法は、押出成形プロセスである。球状光学系は、押出成形によって作製することができないが、軸状光学系は、押出成形によって作製することができる。押出成形金型は、長手方向に機械加工し、次いで研磨することができる。本発明の軸状光学系の使用の重要性は、以下に続く論述により、平方インチの表面上にある１００万個の球状レンズの上記の実施例に関して理解され、軸状光学系の重ね合わせの使用によって、製造問題が数千分の１に軽減されることが示される。
【００１５】
大まかに言えば、軸状光学系表面の作製には多くの技法が適している。それらの中には、適切に表面仕上げされた材料部片の複製に使用すべき加工器具の製造が含まれる。ミリング、ブローチ削り、鋳造、プレス加工、スタンプ加工、エッチング、真空成形、電鋳、及び押出成形が、加工器具を形成するための利用可能な技法のいくつかである。これらのツールを使用して、（射出、鋳造、被着、析出、フォトプロセス、押出成形などの）空洞への材料添加によって、（ミリング、ブローチ削り、エッチング、フォトプロセスなどの）材料抽出によって、及び（圧延、フラット・プレス加工、スタンプ加工、溶融成形など）材料変位によって、個々の部片を製造することができる。
【００１６】
Ｉ．交差軸状光学系及び製造方法
本発明は、２つ以上の軸線が互いに幾分交差するように配置された状態の２つ以上の軸状光学系要素を使用することによって、標準の光学系（カメラ・レンズ、映写機レンズ、顕微鏡レンズなど）によって提示される２軸合焦プロセスを、２つ以上の１軸段階に分割する。そのような様式での交差軸状光学系の採用は、標準の２軸レンズ配列製造の場合よりも、レンズ配列の製造をはるかに実用的且つ経済的にする。
【００１７】
図１Ａ及び１Ｂに、上方から垂直に２つのレンズに入る平行な光線が示されている（互いに平行な光線を当てること、及び／又はレンズ表面に垂直に当てることは、本発明の必要条件ではなく、単に、関係する概念の説明のために好都合な状況である）。円柱レンズは光をラインに合焦する。すなわち、合焦の効果は、レンズ円柱体の軸線方向に合致した一方向におけるものである。光線は、限定はしないが、円柱体の曲率及びレンズを形成する材料の屈折率を含む様々な性質に従って、レンズから特定の距離の点に集束する。光がラインに集中されたのち、物理的障害物によって妨げられない場合には、光は（既に合焦した後に）続いてその点から発散し、広がり角は、元の入射線の角度と一致する。集中したラインの一方の側で、光は、異なる方向からライン上に集束する。集中したラインの他方の側で、光は、進み続ける場合に発散する。
【００１８】
しかし、本発明は、物理的障害物１５、１７が全体として、又は部分的に使用される場合を含む。部分的な物理的障害物１５及び１７も本発明に含まれる。物理的障害物１５及び１７は、図１Ｃ及び１Ｄに示されている。部分的な物理的障害物１５及び１７の使用の非限定的な例には、レンズ有効アパーチャの制御、透過及び／又は反射の形態の映像を含む中間焦点面に存在する映像の画素と入射光との相互作用、および空間フィルタリングによる情報の符号化が含まれる。物理的障害物材料の例には、写真フィルム、ＣＣＤビデオ・チップ、及び任意の他の感光材料が含まれるが、それらに限定されない。また、部分的な障害物１５及び１７が望ましい場合もある。部分的な障害物材料１５及び１７の例としは、カラー・フィルタの配列がある。これらのフィルタは、配列焦点面に設置されて、入射光のパターンと配列の焦点でのパターンとの合計である合成図を生成する。着色された障害物ではなく無色の障害物の使用を含めた多くの他の可能性が存在するので、本発明はこの例に限定されない。配列の選択的（部分的）な障害物の別の例は、映像を基礎とした情報のエンコーダ／デコーダ、スライド透明フィルム、及び写真フィルムとしての使用である。したがって、部分的な障害物及び完全な障害物１５及び１７は、要素の光妨害又は物理的位置に関するものであり、したがって、空間フィルタリングに関する特定の領域で、いくらかの透明な要素の挿入、又は完全に光を妨害する要素のいずれか、又はそれらの組合せの結果となる場合があることが分かる。
【００１９】
図１Ａ及び図１Ｂの第１の円柱レンズ１４ａ及び第２の円柱レンズ１４ｂが、相互に直交して位置合わせされ、鉛直方向に積層され、且つ（図２Ａ、図２Ｂ、図２Ｃ、図３Ａ、図３Ｂ、図３Ｃ、及び図４に図示されるように）、符号１２で一般に示される入射光の経路に対して横向きに位置合わせされる場合、第１のレンズ１４ａは、入射光１２を放出光ライン１６に合焦し、これがライン１８を形成する。両方のレンズ１４ａ、１４ｂを組み合わせた効果は、光をスポット２２に合焦することである。このスポット２２は、個別に考慮すると２つのレンズのそれぞれに関連付けられる２つの放出光ライン１６の交差点をほぼ表している。スポット２２に合焦される入射光１２は、２つの円柱レンズの重なった領域によってほぼ規定される領域に当たる光である。したがって、図２Ａ、図２Ｂ、図２Ｃ、並びに図３Ａ、図３Ｂ、及び図３Ｃに示されるように、交差された円柱レンズは一体となって光の捕集器として働くことができる。図２Ａ、図２Ｂ、及び図２Ｃは、互いに湾曲部を向かいあわせた２つのレンズを示し、図３Ａ、３Ｂ、及び３Ｃは、互いに平坦部を向かいあわせた組合せを示す。
【００２０】
ここで、例示のレンズが、一方の側で曲率を有し、他方の側で平坦である必要はないことに留意すべきである。実際、同じ材料部片の反対両側に交差円柱形配列を置いても、図３Ａ、図３Ｂ、及び図３Ｃに示される構成とほぼ等価である。さらに、レンズは、本発明の論述のために使用される図では凸形が共通の形状であるが、凸形である必要はないことに留意すべきである。さらに、本発明は、数が少なくとも２つである限り、連続して積層された任意の数の軸状光学系表面を有することができる。
【００２１】
図４は、光を集光するために使用できるのと同じように容易に、光を視準（コリメート）するために交差レンズ配列を使用できることを例示する。図４では、２つのレンズ１４ａ及び１４ｂの合成焦点に配置された光源２６から発する光２８が、レンズ１４ａに向けて放射するようになっている。次いで、光１６が第１のレンズ１４ｂから出て、発散して、視準される。視準された光３０は第２のレンズ１４ａから出る。２つのレンズの重なる領域の影響下に入る光は、光２８が初めに光源２６から外に放射したとき以上に、視準される（３０）。
【００２２】
図５は、材料部片の表面に複数の軸状光学系を設けることができることを示す。この図では、互いに当接した５つの円柱レンズを含む軸状レンズ配列３２が示されている（表面の全ての軸状光学系が、図９Ａ〜図９Ｅで見られるように断面が同一であることは、本発明の必要条件ではない）。
【００２３】
上記の個々の円柱レンズと同様に、複数の円柱レンズ３２ａを有する材料部片は、複数の円柱レンズ３２ｂを有する別の部片と交差させることができ、それにより図６Ａ、図６ｂ、及び図６Ｃに例示されるような２次元レンズ配列を形成する。この図では、各円柱レンズ要素に関連付けられた特定の重なり領域２０が光の捕集部であり、その領域２０に入る光を使用して独自の焦点スポット２４を形成する。図６Ａ、図６ｂ、及び図６Ｃには２５個のそのような個別の領域があり、これらは、１つの配列３２ａにある５個の円柱レンズの表面を、第２の配列３２ｂ表面にある５個の円柱レンズの表面の上に横向きに積層することによって得られる。
【００２４】
本発明は、材料部片上の各軸状光学系が、同じ部片上の他の軸状光学系と必ずしも同じではない構成を含む。図６Ｃに、２５個の重なり領域が、点線によって境界を画されて示されている。しかし、図６Ａ、図６ｂ、及び図６Ｃでの重なり領域の全てに、光の入射を示してはいない。これは、配列が、全ての要素重なり領域２０には光を入れないことが望ましい場合があることを示す。
【００２５】
図７Ａ、図７Ｂ、図７Ｃは、２次元レンズ配列３２ａ、３２ｂを例示す。この適用例は、多くの光源２６から発射される光のコリメータであり、各光源は、軸状光学系３２ａ、３２ｂの重なり２０によって形成されるレンズ３２ａ、３２ｂの焦点スポット２２に位置されている。実質上、この状態は、図６Ａ、図６Ｂ、及び図６Ｃでの配列の使用法とは逆の配列３２ａ、３２ｂの使用法である。
【００２６】
２組の軸状光学系３２ａ、３２ｂの軸は、互いに対して垂直に配置される必要はない。例えば、円柱光学系の図示を続けると、図８Ｅ及び図８Ｆは、軸が互いに揃えられる場合は、スポット配列への合焦ではなく、一連の平行なラインへの合焦という結果になることを示す。図８Ａ〜図８Ｄのとおり、軸状光学系の組が非平行に向けられると、スポットへの合焦が行われ始める。しかし、スポットは、軸状光学系の組が互い対して横向きに向けられた場合のように対称的ではない。したがって、図８Ａ、図８Ｂ、図８Ｃ、図８Ｄ、図８Ｅ、及び図８Ｆで、部片が互いに対して回転されるにつれて、入射する光の得られる集束は、円状から、楕円状、直線状へ移る。同様の効果が示されている。
【００２７】
前記のとおり、軸状光学系は、一様な共通の形状を有する必要はなく、同じ「フットプリント」サイズ、或いは同じ目的、又は他の共通の特徴の同一性を有する必要もなく、その制約を超えて、軸状光学系は、連続直線、円形、又は他の採用されることのある軸タイプ・プロセスで作製することができる。
【００２８】
しかし、所望の光学的な効果が、独立した光学要素の配列の作製を支えることが、本発明の共通の特徴である。これは、同じ材料部片の面上にある軸状光学系の組に言及するか、或いは別の面上にある個別の軸状光学系に言及するかに関わらず当てはまる。これは、フレネル・レンズなど他の光学システムに対する本発明の重要な相違点であり、フレネル・レンズの目的は、入射する平行な光に関して単一の変位又は焦点を一括して生成することである。例えば、フレネル光学システムは、１つのシステムを使用する際に、場面（ｓｃｅｎｅ）のただ１つの映像を生み出すように意図される。フレネルと異なり、本発明は、１つのシステムを使用する場合に、場面の多数の映像を形成することを支援する。
【００２９】
１０００個の軸状光学系の配列が、１０００個の軸状光学系の配列と交差されると、１００万個のレンズが形成される。
【００３０】
本発明に適用できる軸状光学系に関するいくつかの例示の断面が、図９Ａ、図９Ｂ、図９Ｃ、図９Ｄ、及び図９Ｅに示されている。これらは、いくつかの重要な成形概念を表すが、この図は、本発明の全ての可能な実施例を網羅する図では決してない。
【００３１】
また、例えばプラスチック、ガラス、又は他の適切な透明材料内に直線状空洞を有するなどの、材料部片の内部に軸状光学系が埋め込まれる構成も本発明によって包含される。さらに、適切な場合には、レンズ配列の合焦、色、及び他の特性を変化させるために、様々な屈折及び透明度の性質の液体及び気体をシステム内部に流すことができる。
【００３２】
本発明者によって構成され試験された現在好ましい実施例は、樹脂を鋳造することによって２部片の軸状光学系が作製され、軸状レンズが約０．１６ｃｍ（１／１６’’）隔てられ、約０．３２ｃｍ（１／８’’）の焦点距離を有する設計である。どちらも円柱状に成形された軸状光学系を使用する２つの部片は、次いで、図２Ａ、図２ｂ、及び図２Ｃ、又は図３Ａ、図３Ｂ、及び図３Ｃのように交差されて、図６Ａ、図６Ｂ、及び図６Ｃ、並びに図７Ａ、図７Ｂ、及び図７Ｃに示される配列を形成する。この特定の実施例が現在好ましいが、本発明は、この実施例で使用される形状、サイズ、又は製造技法に限定されない。
【００３３】
本発明の非常に有用な特徴は、本発明が、費用対効果の大きい２次元レンズ配列の製造を可能にし、従来の光学的製造方法を使用しては不可能ではないにせよ実用的でない空間密度のレンズ配列の製造を容易にすることである。また、本発明のいくつかの実施例では、製造後でさえも光学特性を容易に変えることができる。
【００３４】
得られる配列の用途は、とりわけ以下の光学的な実施例を含むがそれらに限定されない。光計算、通信及び符号化；劇場、家庭用娯楽器具及び学校用の背面スクリーン及び前面スクリーン映写；広告表記及びスコアボード；選択された画素を視準することによって各眼に対して異なる３次元映像を表示するための、軍事用ヘッドアップ表示装置用、及びバーチャル・リアリティ・システム用の「眼鏡」、その他。前記に示したように、本発明は、光学的な用途に限定されない。本発明はまた、電磁スペクトルの他の領域、並びに音響及び他の機械エネルギーにも適用可能である。
【００３５】
ＩＩ．吊架薄膜を使用する湾曲軸状光学系
ここまで、機械加工された、又は鋳造された光学系を採用する光学配列を論じてきた。ここから、光学系を製造する全く異なる方法、すなわち吊架された薄膜を論じる。次に、この新たな吊架薄膜光学系を採用する追加の実用的な用途を論じる。
【００３６】
図１０では、ツール１３４は、好ましくは１ｍｍの距離Ｄで隔てられた薄い壁１０２を作製するために、一連の長手方向切断を行うことによって作製される。ツール１３４は、ｖ字形長手方向切断部を有して示されているが、正方形切断部を有していてもよい。差圧Ｖを連通させるために穴（図示せず）、さらには溝を切断部の底に沿って設けることができる。透明又は反射性の薄膜１０４のシートが、壁１０２の上に配置される。次いで、差圧Ｖが、穴（図示せず）を通して壁１０２の間に印加されて、薄膜１０４を引っ張り、湾曲した軸状光学系１１０が形成される。光学特性表面を有するために必要とされる光学系のさらなる研磨がなされないことを理解することが非常に重要である。次に、第１の実施例では、ポリマー１１２を湾曲軸状光学系１１０の後方に流し込むことができ、図２Ａに示されるような光合焦能力を有する型崩れしない軸状光学系が作製される。好ましいポリマー材料は、アプライド・ポルラミクス社（Ａｐｐｌｉｅｄ  Ｐｏｌｅｒａｍｉｃｓ，Ｉｎｃｏｒｐｏｒａｔｅｄ）（ベニシア、カリフォルニア）から得ることができる。アプライド・ポルラミクス社からの好ましい具体的な材料は、２６６エポキシ及びＡＵ１６ポリウレタン、並びにＥＦＭ１５及びＥＦＭ１８フェノール類である。さらに、光学系の外側は、光学系表面の保護のために例えば薄いアクリル・コーティング、又はポリエチレン・コーティングなどで被覆することができ、酸化、摩耗、又は他の表面劣化を防止する。そのようなコーティングは、ピーボディ・ラボレタリーズ社（Ｐｅａｂｏｄｙ  Ｌａｂｏｒａｔｏｒｉｅｓ，Ｉｎｃ．）（１９０１  Ｓ．５４ｔｈ  Ｓｔｒｅｅｔ，Ｐｈｉｌａｄｅｌｐｈｉａ，ＰＡ  １９１４３）から購入することができ、商標名ＰＥＲＭＡＬＡＣの下で販売されている。差圧を変えて、軸状光学系の曲率を変えることができる。
【００３７】
第２の実施例では、透明ツール１００が薄膜１０４と共に使用される。ここで、湾曲軸状光学系は、変化する差圧レベルに応じて連続的に曲率を変えることができる。投影映像が湾曲軸状光学系を通って合焦される場合に、差圧Ｖのレベルを変えることによって光学系の曲率を変えることができ、それにより映像の焦点の変化を生み出す。これは、焦点変化が、映像の変化又は看者（ｖｉｅｗｅｒ）の位置の変化と調和される場合に、非常に有用な用途を有する。
【００３８】
任意の好ましい実施例で、アセテート、ポリエチレン、ポリプロピレン、ポリカーボネート、又はアクリルなど任意の薄膜１０４を使用することができ、厚さは好ましくは０．００６２５ミリ（０．２５ミル）と０．０２５ミリ（１ミル）の間である。
【００３９】
交差した関係で互いに面する２つのツール１００が同時に採用される場合、交差光学配列が形成されることが簡単に分かる。次に、薄膜１０４間の空間が、プラスチックで充填される場合がある（用語「プラスチック」は、その広い意味で概括的に使用することを意図されており、「ポリマー」に限定することは意図しない）。１つの好ましいプラスチックは上記のエポキシであり、エポキシは、その粘性の低さにより、薄膜間に水のように流れ込み、次いでそこで加熱されて硬化される。この手法は、図１１及び図１２に関して使用される。図１１及び図１２では、金型が、符号１１６により広く指される。金型１１６は、支持構造体として、脚部支持部１１８、底部支持部１２０、安定化プレート１２２、直立支持部１２４、およびスペーシング・ブロック１２６を有する。ヒンジ１２８が、横方向に揺動する取外し可能なヒンジ式ドア１３０を可能にすることによって、内部空洞への簡単なアクセスを可能にする。これらのドア１３０により、２次トリミングを含み得る硬化前及び硬化後の操作に関する全ての必要な構成要素への、製造作業員のアクセスが可能になる。図１２からより良くわかるとおり、金型１１６は、ドア１３０、ラジエータ１３１、ラジエータ・ガスケット１３２、真空床１３４、およびスペーシング・ガスケット１３６を有する。ツール１００は、真空床１３４内部の両側に配置される。図１１からより良くわかるとおり、外部加熱源１４２（高温接着裏当てを使用してドア１３０に固定されている）、高温流体入口ホース１４４、高温流体出口ホース１４６、及び真空ホース１４８と同様に、金型１１６の外部に温度センサ配列１４０が提供される。使用時、薄膜１０４は、真空床１３４の両側で２つのツール１００の各々の上に配置される。ドア１３０は揺動して閉じられ、組立体が掛け金でとめられる（１５０）。差圧が、真空ホース１４０によって印加され、薄膜１０４を引っ張り、湾曲した軸状光学系形状に吊るした状態にする。両方の薄膜が、互いから離れるように引っ張られる。真空ホース１４０を通じて、真空ではなく圧力を印加できることに留意されたい。次に、プラスチック、好ましくはエポキシが流し込まれて硬化されると、最終的な湾曲軸状光学系固体が結果として得られ、これは、外側で湾曲しており、共通の中心部を共有している。材料シート（部片）は、可撓性又は堅く（高剛性）にでき、用途に適するように様々なその程度を変化させることができる。シートは、重力、接着剤、溶剤、真空、融着、圧力、機械装置、及び他の選択肢の使用と組み合わせることができる。積層された組合せの縁部は、開いたままにすることも、封止することもできる（封止は、清浄化及び流体の閉込めを可能にし、流体は、気体又は液体、或いはその両方の組合せである）。得られる配列組立体は、２つ以上の軸状に製造された光学層から構成することができ、各層は、形状、仕上げ、材料、又は用途に適した他の特性が同じであるか、又は異なることができる。
【００４０】
ＩＩ．Ａ．従来のレンズ・タイプ適用例
得られる配列組立体は、単独で、又は機械システム、電子システム、若しくは他の光学システムと共に使用することができる。特に、両方の薄膜１０４が透明な場合、得られるレンズ配列は、交差配列構成で可変の軸状光学系幅を有して使用することができ、非点収差を修正し、ナノスケール光効果を提供し、レンズ毎にミリメートルの数分の１程度の大きさで調節を行い、画素レベルで視準することができる。
【００４１】
ＩＩ．Ｂ．背面映写スクリーン適用例
さらに、非常に高品質の背面映写スクリーンを製造することができる。図１３に見られるように、得られた配列組立体を使用して、背面映写スクリーン１５１を形成することができる。具体的には、背面映写光源１５２が、背面映写スクリーン１５１を通して光を投影する。このスクリーン１５１は、交差光学配列であり、観察可能映像（ｖｉｅｗａｂｌｅ  ｉｍａｇｅ）１５４をもたらす。
【００４２】
ＩＩ．Ｃ．空間多重映像デコンボルバ適用例
透明薄膜を使用して得られる配列組立体の第３の部類の実用的な用途として、空間多重映像デコンボルバ（復号器）を作製することができる。この部類の実用的な用途として、レンズ配列を用いて多重映像を逆畳み込みする方法があり、異なる角度領域内の看者が異なる個別の源映像を見るようにできる。これは、同じ表面から複数の画像を提示するために使用されているプリズム技法に勝る大きな改良を表している。映像の数は、プリズムで利用可能な２つ又は３つではなく、数百個程度にすることができる。また、映像は、プリズム・ディスプレイが１軸で制約されるのに比較して、複数の軸に沿った角度移動によって選択することができる。また、本発明によって、特殊な眼鏡を用いずに３次元映像を実現できる能力が大幅に高められる。用途には、芸術作品、広告、家庭用装飾、包装、催し背景幕、及びアミューズメント・パークが含まれ、しかし必ずしもそれらに限定されない。本発明は、レンズ映像に適用され、ホログラム映像には適用されないが、両方の従来技術システムに勝る利点を有している。
【００４３】
理解を助けるために、以下に用語の定義を提供して本発明の理解を助ける。
【００４４】
源映像は、単一の映像であり、その要素は、合成映像を形成するために他の源映像からの要素と畳み込み（混合）される。看者は、本発明の動作中に特定の角度範囲内で特定の逆畳み込みされた源映像を見る。その特定の映像は、本発明の選択可能なパラメータに従ったものである。本発明は、複数の源映像が組み込まれる場合に最も顕著であり、それぞれの源映像を異なる角度で見ることができるが、ただ１つの源映像についての機能をもつことも可能である。
【００４５】
要素又は画素は、図１５に示されるとおり、合成映像のレンズ源グループ内に位置された源映像の「一部」である。
【００４６】
多重映像とも呼ばれる合成映像は、全ての源映像の畳み込みであり、本発明でのレンズ配列は、各源映像を逆畳み込みすることを可能にし、すなわち看者に対して、一貫性のある映像が見られるように各源映像の画素を選別することを可能にするようになっている。また、この用語は、様々な材料から形成され得る、レンズ配列の後方に位置される物理的な合成映像も表す。一般に、本発明によって提供される逆畳み込みの助けを用いない合成映像は、理解できないランダムなスポットの集まりのように、目に見える。
【００４７】
レンズ源グループは、レンズ配列内の単一のレンズの後方にある画素のグループである。一般に、レンズ配列内に存在する個別レンズと同数のレンズ源グループが存在する。好ましい実施例では、レンズ源グループは、各源映像からの少なくとも１つの画素を含む。
【００４８】
レンズ配列は、合成映像の前に配置されるレンズの配列である。配列の各レンズは、その下に、源映像からの対応する画素を含むレンズ源グループを有する。
【００４９】
観察可能映像は、看者によって見られる際の源映像である。この映像は、レンズ配列の作用によって合成映像内の他の源映像から逆畳み込みされた後の、源映像の１つである。
【００５０】
看者角度領域は、本発明に関しては、逆畳み込みされた源映像を看者が観察することのできる角度範囲を表す。すなわち、観察可能映像を見ることのできる領域である。
【００５１】
図１４に、本発明のこの部類の実用的な用途の一般的な概念が示されている。この図は、光源１５２、合成映像１５０、レンズ配列１５６、および２つの看者角度領域１５８内の２つの異なる観察可能映像１５４のそれぞれの位置、並びに選択されたレンズ源グループから来る例示の光線を示す。
【００５２】
図１５Ａは、符号２００で広く示される合成映像を構成する９×９画素配列、合計で８１個の画素１ａ〜９ａ、１ｂ〜９ｂ、１ｃ〜９ｃ、１ｄ〜９ｄ、１ｅ〜９ｅ、１ｆ〜９ｆ、１ｇ〜９ｇ、１ｈ〜９ｈ、及び１ｉ〜９ｉを示す。また、この図は、９個の画素１ａ〜９ｉから構成される１つの源映像２２０を示す。合成映像内の各画素１ａ〜９ｉは、９個の異なる源映像の１つからの画素１ａ〜９ｉである。源映像からの画素１ａ〜９ｉは、特定の配列で合成映像２００上にマッピングされる。
【００５３】
図中の合成映像２００は、９個のレンズ源グループ２１０の配列から構成される。各源映像２２０内の各画素１ａ〜９ｉが、数字と小文字を用いて標示されている。数字は、単一の源映像２２０に属するものとして画素を識別し、文字は、源映像２２０内の各画素の位置を示す。すなわち、同じ小文字を有する画素が同じレンズ源グループ２１０に属し、同じ数字を有する画素が、同じ源映像２２０に属する。例えば、整数「１」で示される全ての画素が源映像１に属する。小文字「ａ」で示される全ての画素が、レンズ源グループ「ａ」に属する。
【００５４】
画素２２２は特定のレンズ源グループ２１０内に配置されて、観察可能映像２００に逆畳み込みされる際に、源映像２２０の一貫性が実現される。すなわち、全ての画素が、同じ方向に配列から送られるだけでは十分でなく、画素はまた、映像の適切な再構成を生成するのに適した位置に組織されなければならない。図１６は、観察可能映像２２０に対する合成映像２００内の画素配置の関係を示す。
【００５５】
合成映像２２０内のレンズ源グループ２１０の配列は、合成映像が含む画素の文字標示によって決定される。レンズ源グループ２１０の配列は、源映像２２０内の画素の配列に対応しなければならない。すなわち、合成映像２００内でのレンズ源グループ２１０の相対位置が、それらの源映像２２０内での画素１ａ〜９ｉの相対位置に対応しなければならない。画素１ａがその源映像２２０の左上隅に位置される場合、その画素１ａを含むレンズ源グループ２１０は、合成映像２００の左上隅に位置されなければならない。例えば、図１６での画素を用いると、源映像１ａ内での画素１ａの位置が左上隅にあるので、合成映像２００内の画素１ａを含むレンズ源グループ２１０は、合成映像２００の左上隅に配置されなければならない。
【００５６】
図１６及び図１７に示されるように、各レンズ源グループ２１０内の画素の配列は非常に特有のものであり、画素の配置は屈折光学系の特性に従い、そのエネルギーが、看者に向けて送られるべき源映像を構成する他の画素と同じ方向に送られるようになっている。位置の移行中に常にいくらかのレベルのにじみ（ｂｌｅｅｄ）が存在するが、ほとんどの映像は、映像が設計空間内で映像の重なりを有さないことが理解される。
【００５７】
源映像の数（９）と各レンズ源グループ内部の画素の数（９）とが一致するこの実施例の使用は、本発明に対して必要条件と解釈すべきではない。レンズ源グループの数を決定するのは、源映像自体の数ではなく、最高の解像度をもつ源映像内部の画素の数である。例えば、本発明は、源映像が１０００個の画素を含む場合に、ただ１つの源映像と、１０００個の源グループとを有する場合がある。
【００５８】
全ての源映像の解像度が同じである必要はない。例えば、５つの源映像を含むシステムが、２０個の画素を有する１つの源映像を有する場合があり、残りの４つの源映像は、より少数の異なる画素を有することができる。したがって、合成映像は、２０個のレンズ源グループを有するが、各源グループは、解像度のより低い源映像からの画素を必ずしも含まない。各源グループ内の画素の数は、観察可能映像の所望の角度範囲に依存するので、変化する。したがって、これは、設計者が自分なりに使用するのに委ねられている。
【００５９】
さらに、レンズ源グループ内の画素は、同じサイズである必要はない。観察可能映像がより大きな観察可能角度領域を有するようにするために、画素は、それに従って他の画素よりも大きくされる場合がある（これは、他の観察可能映像に利用可能な総計の角度領域を減少させる）。
【００６０】
合成映像２００は、不透明、透明、無色、着色、偏光、無偏光、又はこれらの任意の組合せの材料に適用することができる。また、合成映像２００は、背面映写スクリーン上に投影することができる。
【００６１】
散在された画素の逆畳み込みを実現するために、レンズの配列が使用され、区別可能な映像が看者に向けて投影される。図１６は、側方から見て、映像がその焦点に置かれる際のレンズ２２４の一般的な特徴を示す。本明細書での議論において、レンズ２２４は、本発明のレンズ配列内のレンズの１つであるとする。レンズに関連付けられたレンズ源グループからの３つの代表的な画素が、それぞれ１ａ、４ａ、及び７ａで示されている。標示体系によれば、画素が源映像１、４、及び７からのものであり、それらの当該の源映像内部での画素の配置が位置「ａ」（この場合、合成映像２００の左上隅に対応する）にある。
【００６２】
図１６は、３つの画素１ａ、４ａ、及び７ａのそれぞれから来る例示の中心光線を示す。レンズは画素から焦点距離だけ離れた位置に配置されているので、レンズから発する光線は平行である。したがって、各画素からの光線は、レンズから異なる方向に出る。その方向は、レンズ特性及び画素の位置に依存する。この結果、図１６に３つの異なる位置で示される３つの観察可能映像２２２が別個の看者角度範囲で見られるようになり、したがって、本発明によれば、異なる方向に位置する看者が異なる観察可能映像を見ることになる。
【００６３】
また、焦点にあるレンズの配置により、各画素から来る光線がレンズに「充満」されることに留意することも重要である。これは、図１６に、画素７ａから来る光線で示されている。この「充満」の結果、合成映像内の源映像画素間に間隔が存在したとしても切れ目のない観察可能映像が得られる。
【００６４】
図１７は、合成映像の要素に対して、焦点距離、サイズ、及び位置が合致した３つのレンズの側面を示す。各レンズが、図１６に例示されるように異なる方向に映像要素を分離する。図によって例示される実施例では、９×９レンズ源グループに重ねられた９×９レンズ配列が、図１４の空間多重要素を９個の個別の源映像、ここでは観察可能映像に逆畳み込みする。
【００６５】
レンズ配列は、図１８に示される湾曲軸状配列３２によって提示されるように１次元に湾曲されたレンズ配列３２、又は図１９の実施例によって示されるように２次元に湾曲されたレンズ配列、或いはその２つの組合せにすることができる。配列の選択は、合成映像を逆畳み込みし、それを事前選択された看者角度領域に投影するのに適した光学特性となるように行われる。
【００６６】
レンズ配列内のレンズを「完全なもの」にする、さらには配列内の他のレンズと同じにすることは必要とされていないことに留意すべきである。レンズが歪みを有する場合、歪みを打ち消すために、しばしば映像面の調節を行うことができる。具体的には、特定のレンズ源グループ内部の画素を、関連のレンズにおける任意の欠陥又は相違に対処するように配置できる。また、レンズ配置又は焦点距離について、レンズ配列の対称性又は一様性は必要とされない。
【００６７】
映像を見ることに関連する光は、背面照明、前面照明、又はその２つの組合せによって提供できる。また、合成映像がリアルタイムで変えられる実施例では、光源は、映写機からのものにすることもできる。光は、無色、着色、偏光、無偏光にすることができる。
【００６８】
上記で論じたように、看者は、複数の観察可能映像を見る。しかし、各観察可能映像は、限定された看者角度範囲内でのみ見られる。各観察可能映像に関する看者角度範囲は、合成映像の設計及びレンズの特性によってあらかじめ決められる。
【００６９】
光軸から大きく外れた角度では、レンズ性能及び幾何形状によれば、合成映像上に置かれている情報から適切な観察可能映像が提供できない場合がある。より大きな軸ずれ角度では、画素内容は、バッフル（邪魔板）上に映像詳細をマッピングすることによって実現することができる。バッフルは、本発明のいくつかの実施例の要素である。
【００７０】
バッフルを含む実施例では、画素の光を所望の方向に屈折するためにはレンズの光学性能幾何形状の範囲内にない光でも、なおそれを使用して、レンズの縁部に沿って位置される「壁」を照明することができる。これらの壁は、単純に標準のレンズ・バッフルのようなものであるが、レンズのバッフル壁のそれぞれが個別の反射特性を提供されており、全てのレンズ・バッフルの集合として見たときに、バッフルの集合に映されたパターンに従って映像を生成する。
【００７１】
本発明の現行の好ましい実施例は、本発明の「基本」モデルであり、簡単に修正を加えることができる。基本モデルは、光源（背面スクリーン映写機又は他の光源）、材料に与えられる又は背面映写スクリーン上に投影される合成映像、レンズ配列、および複数の源映像を含む。この詳細な説明を通じて、単一の映写機に言及しているとしても、複数の映写機を使用できることに留意されたい。
【００７２】
本発明は、合成映像の構成を変えることによってだけでなく、レンズ配列と合成映像とを互いに対して横方向に単に移動させることによって、且つ湾曲軸状光学系の曲率及び向き（角度及び傾斜）を変えることによっても、観察可能映像の送られる看者角度範囲の方向を変えることができることに留意すべきである。また、観察可能映像の看者角度範囲の数及び大きさは、画素のサイズを変えることによって、合成映像の設計において微調整できる。これは、合成映像のための媒体として、コンピュータ制御された背面映写スクリーン（ＴＶスクリーンを含む）を使用することによってリアルタイムで行うことができる。
【００７３】
システム設計により、レンズ配列が良く合焦されている場合に、１組の高解像度源映像からの画素のみが観察可能映像に逆畳み込みされるようにすることができる。しかし、レンズ配列がわずかに焦点をずらされている場合は、高解像度源映像画素は、平均化されて、低解像度源映像のより大きな画素を形成する。すなわち、各レンズ源グループ内の画素のグループが、低解像度源映像の１つの画素を形成する。画素のグループは、低解像度源映像に関する適正な明度及び色を有するように平均化されるように設計される。
【００７４】
観察可能映像を見る位置は、合成映像面からの角度だけでなく、本発明品からの距離にも基づかせることができる。この効果は、源映像の画素をわずかにずらして（オフセット）、それにより、レンズ配列内の個々のレンズから発する光が、あらゆるレンズに関して平行な方向である同一方向に進まなくなるようにすることによって実現できる。あらゆるレンズに関して平行に光を発するのではなく、レンズは、合成映像面からある適当な距離でビームが交差するように光を方向付ける。したがって、距離および角度の属性を組み合わせることによって、本発明品の前で看者が左右又は上下に移動する場合だけでなく、看者が本発明品に対して前後に移動する場合にも顕著に変化する視覚的に動的な標示を生成できる。本発明のこの実施例は、いくつかの光学的なパラメータの巧みな兼ね合いを含む注意深い設計を必要とする。
【００７５】
ＩＩＩ．反射薄膜を使用する湾曲軸状光学系
交差軸状光学系の様々な実用的な用途に関する上記の説明は、軸状湾曲光学配列が透明である環境において行った。しかし、さらに、軸状湾曲光学配列が１つの反射性の面を有する環境では、別の実用的な用途が生じうることが理解される。１つの反射性の側面を有する吊架薄膜１０４を用いて、全く新しい実用的な用途が提示される。１つの反射性の側面を提供する特に適した柔軟で変形可能な薄膜１０４は、ダンモア社（Ｄｕｎｍｏｒｅ  Ｃｏｒｐｏｒａｔｉｏｎ）（１４５  ホウォートン通り、ブリストル，ＰＡ  １９００７−１６２０）からのアルミニウム処理されたカプトン（１インチの千分の０．５〜１．０の厚さ）、及びシグマ・テキノロジーズ（Ｓｉｇｍａ  Ｔｅｃｈｎｏｌｏｇｉｅｓ）（トゥーソン、アリゾナ）からのアルミニウム処理されたポリエステルによる薄膜を含む。非金属であり反射性である別の適切な薄膜が、３Ｍ社によって製造され販売されている。
【００７６】
ＩＩＩ．Ａ．反射性複数映像面
この薄膜１０４を利用すると、反射性複数映像面を作製することができる。そのような面は、「Ｒｅｆｌｅｃｔｉｖｅ  Ｍｕｌｔｉ  Ｉｍａｇｅ  Ｓｕｒｆａｃｅ（反射性複数映像面）」という名称の２００４年１１月１８日に出願された同時係属の米国非仮出願の主題であり、その出願は、全体を参照として本明細書に援用する。
【００７７】
ＩＩＩ．Ｂ．前面映写スクリーン
別途の出願の主題である前記の実用的な用途に加えて、前面映写スクリーンを作製することもできる。以下の説明は、そのようなスクリーンを実現することのできる方法を特に詳細に提供する。
【００７８】
投影映像のコントラストは、背景光源からの観察可能な光の強度に比較して、観察可能な投影光の強度の影響を受ける。したがって、見る環境における背景光源からの観察可能な光強度の増加は、投影映像のより暗い部分を見ることのできる観察者の能力を低下させる。それゆえ、照明される見る環境でのコントラスト制限は、映像のより明るい部分に対する背景光の影響ではなく、映像の要素の暗さの損失によって課されることが最も多い。
【００７９】
最終的に観察者が見ることのできるスクリーンに当たる背景光が存在しない場合、眼の感度のしきい値限界を上回る少なくとも十分な光が投影中に存在すると仮定し、且つスクリーン自体が投影光の横方向拡散（クロストーク）によってコントラストを劣化させないと仮定すれば、観察者は、投影映像の本来のコントラストを見ることができる。背景光排除を実現することのできる一方法は、観察者の眼の近傍全体から非投影光を除去することによるものである（例えば暗室を使用する）。しかし、問題を生み出すのが、観察者によって見られる環境内の周囲の背景光であり、環境光自体の存在ではないことを考慮すると、他の選択肢が明らかになる。したがって、強い環境背景光が存在する状況でさえ、投影映像の本来のコントラストの維持に好ましい状態を依然として実現することができる。これは、任意の背景光を方向転換する映写スクリーンを使用して、背景光が観察者の視界に入らないようにすることによって可能である。
【００８０】
スクリーンに投影される映像のコントラストは、映像明度を高めることによって、若しくは背景光の影響を低減することによって、又はその両方の組合せによって改善することができる。（明度を高める）第１の選択肢に取り組むことによるコントラストの改善は、投影光がスクリーンによって散乱される体積部を制限し、それにより任意の設定量の投影光によって実現される映像の見える明度を高めることを含む。（背景光を減少させる）第２の選択肢を考慮すると、映写機以外の光源からスクリーンに当たる光を、視聴者を含む体積に向け直すことのできる体積部を制限することによって、コントラストを改善することができる。これらのコントラスト改善を実現する本発明の手法は、さらなる可能性をもたらす。コントラスト向上スクリーンとしての本発明の有用性により、映写機からの光が看者に向けて集中され、設計された看者の体積部外の位置に看者が動くと投影光が鋭く減少する角度スクリーン反射プロファイルが提供されることができる。そのような強度の鋭い減少により、複数の非干渉映像を１つのスクリーンに置くことが可能になり、各映像は、それ独自の固有の観察体積部内からのみ観察可能となる。
【００８１】
本発明は、上記で説明した有利なスクリーンの３つの要素の全てを提供する。さらにまた、本発明は、同様の性質を有するスクリーンの製造の他の可能な解決策よりも製造が容易である。この利点は、（利点の要因を２つだけ挙げると）ツール作製が単純なこと、及び材料費が適当であることから導かれる。
【００８２】
投影映像のコントラストの増加を達成するために他の技術が採用されている。例えば、単純な拡散白色反射面（例えば白色塗装及び／又はプラスチック拡散シート）に比較して、小さなガラス・ビーズ２３２を反射シート２３０の表面に取り付けて使用すると、強度上の利点が存在する。小さなビーズ２３２は、白色塗装コーティング及びプラスチック拡散材による特徴的な体積部よりも小さな観察体積部に光２２８を集中させる小さなレンズとして働く。そのようなガラス・ビーズ・スクリーンの基本的な概念が、図２０に例示されている。
【００８３】
ガラス・ビーズ・スクリーンを用いると、いくらかの光強度利得が達成されるが、クロストーク（画素間にじみ）が、プラスチック拡散材及び／又はガラス・ビーズを使用するスクリーンで観察され、大きな品質劣化となる。プラスチック拡散材の場合、光２２６の散乱は幾分等方性であり、これは、拡散材内部での光の横方向の広がりを可能にする。そのような横方向への広がりは、投影映像の空間的に精密な要素のコントラスト及び色完全性の損失をもたらす。球状であるガラス・ビード２３２でも、ビード２３２間に同様の横方向広がり２２６が生成される。このクロストークに関する理由のうち、とりわけ挙げられるのは、（１）屈折率境界面での光の内部多重跳ね返り（ｍｕｌｔｉ−ｂｏｕｎｃｅ）２２６により横方向への幾何的な移動がもたらされること、及び（２）投影光が球の外側（正接）縁部に近づくにつれて、球状ビーズの曲率により入射角がより大きくなることである。フレネル関係による反射係数は、正接角に対してより大きくなる。これは、光２２８がビーズ２３２に入る前でさえ、クロストークの問題を強める。図２１に、ガラス・ビード２３２に関連付けられるクロストークの問題を示す。
【００８４】
明らかに、ほとんどの屈折球は、選択され厳しく画定された観察体積部に向けて投影光の反射を合焦することには寄与しない。球の小さな部分のみが、その目的に役立つ。残りの部分は、拡散を発生させ、それは、隣接する球２３２とクロストークするだけでなく、所望の観察体積部２２６の十分に外の領域に投影光を送る。
【００８５】
本発明は、屈折要素を使用するが、所望の観察体積部に光を明確に反射するために寄与しない屈折形状部分は組み込まない。実質上、屈折固体の選択された部分のみが使用される。さらに、密に配置されたガラス球及び他のそのような２方向屈折固体配列の使用に替えて、密接に配置された屈折円柱形要素（１次元屈折器）が使用される。ここで、上記のとおり、屈折円柱体の選択された適切な部分のみが採用される。そうでない場合には、ガラス球で生じるのと同じタイプのクロストークが、円柱体の交差軸に沿って生じる（本発明の範囲では、「円柱体」として非円形断面部分が予定されており、正確な形状は、必要に応じて、所望の観察体積部への反射投影光の限定を実現するものとされることに留意されたい）。
【００８６】
入射する映写機光２３４は、円柱レンズ２３８内へ進み、レンズ２３８が鏡面反射器２４０によって裏当てされている場合には、図２２に示されているように同じレンズ２３８を通って反射して戻る。レンズ配列２３８の効果は、円柱軸の面に対して横向きの１平面に反射光２３６を分散することであり、他の横向きの平面で大きな分散がないことである。適切なパラメータ選択によって、反射光２３６を、小さな良く定義された分散角度内に含めることができる。レンズ２３８の弧が適度である場合、大量の入射投影光が、ほぼ垂直角度でレンズ面に当たる。これは、高い割合の光２３４（図２１で前に例示したガラス・ビード手法の場合よりも大幅に多くの光）がレンズに入るという結果をもたらす。
【００８７】
光進入の効率を高めることの価値は、より多くの光を円柱レンズの屈折効果にさらすという望みを超える。前面反射の減少は、鋭い角度のカットオフ・プロファイルの維持に重要である。簡潔に論じるように、本発明は、光が円柱レンズを通過した後に課される反射面によって引き起こされるプロセスとは逆の、投影光に関する反射プロセスを追求する。
【００８８】
屈折円柱材料への光の進入の割合の向上を望む場合、円柱体の表面を反射防止コーティングで覆って、突然の屈折率変化の影響を低減させることができる。本発明では、屈折面への反射防止層の追加は、円柱体の基質の屈折率よりも小さい屈折率の薄膜を使用することによって簡単に実現され、薄膜の理想的な反射防止率は、円柱体基質の反射防止率の平方根である。
【００８９】
反射防止層が望まれない場合でさえ、やはり材料２４８を使用して、レンズの非常に高度な仕上げ面を得ることができる。実際、本発明の１つの製造実施例では、そのような材料は、表面（屈折性と反射性の両方）の仕上げを表面の形状から分離するために使用される。これは、屈折面と反射面の両方に関して、狭い構造要素２５２間に吊架された薄膜２４８の使用によって実現される。図２３は、密接に間隔を空けられた円柱形（湾曲軸状）レンズ配列２４８の作製のための薄膜の吊架構成の一例を例示する。
【００９０】
円柱レンズ配列２５６の使用に加えて、本発明は、円柱レンズ配列２５６の後方に非平坦鏡面反射器２５８を使用し、それにより本発明を反射屈折システムにする。例示の反射器は、公称で円柱形の（湾曲軸状要素）反射器２５８の密接に間隔を空けられた部分の配列である。この反射配列２５６は、図１０の屈折配列の製造と同様にして薄膜の吊架２５４、２５８によって作製される。円柱形ミラー軸の向きは、屈折円柱体と同じではない。この非整列状態により、円柱形ミラー２５８は、屈折円柱形要素２５４によって生成される分散とは異なる軸線に沿って投影光を分散する。図２４は、バルク透明屈折充填材料２５６に対して円柱形態で接着される透明薄膜２５４と、バルク充填材２５６の反対側で円柱形態に接着される反射薄膜２５８との全体的な概念を例示する（図は、屈折要素２５４と反射要素２５８の軸を直角に示すが、それは、本発明の全ての実施例にとっての必要条件ではない）。本発明の構成の効果は、高利得の改善されたコントラスト及び複数映像化能力などの、従来の前面映写スクリーン技術に勝る多くの利点を有する映写スクリーン反射セル・マトリックスを作製することである。典型的な個別のセルは、図２５Ａ、図２５Ｂ、及び図２５Ｃに示されるようなものでありうる。
【００９１】
いくつかの因子により、セル構成の透明バルク充填材料２５６の厚さの選択が決定される（本発明は、透明バルク充填材料内の気体、液体、又は固体の間隙を予定している）。ほとんどの場合、セル間クロストークを回避することが重要である。これは、前面と後面との間で小さな距離を保つことによって達成できる。屈折光ずれは表面で起こり、内部材料は、合焦空間を提供すること以外の主要な効果を有さない。ほとんどの設計で、光が横方向に移動するために、屈折面から反射面への十分な距離が必要である。しかし、光線がセル間を横切ることを可能にし、それにより光線が入ったのとは異なるセルから出るほど厚さを大きくすべきでない。セル２６０が小さくされる場合、厚さはかなり小さく保つことができ、それによりスクリーン２６２が高い可撓性をもつことができる。図２６には、小さなセル２６０により薄い可撓性スクリーン２６２がもたらされる場合の高可撓性スクリーン２６２が例示される。
【００９２】
以上の図で示される本発明の実施例は、円柱形状レンズ及びミラーの配列を作製するために薄膜の吊架を使用するものである。これは、反射器表面の仕上げの作製を反射器表面の形態の作製から分離することを容易にする点において、有用な独特な特徴である（図１０及び図２２に見られるとおり、薄膜１６５又は２４８はツール１３４又は２４６にわずかに触れ、薄膜が引き続きツールの負の記号上にわたって吊られている限り、仕上げと成形との分離を引き続き保つことができることに留意されたい。薄膜の吊架は特定の利点を有するが、本発明は、射出成形、めっき、堆積、エッチング、及び他の標準の化学的及び機械的技法を用いて得られるものなどの他の成形手法の使用も予定している）。
【００９３】
好ましい実施例では、図１０及び図２２に最も良く示されているとおり、単純なツール１３４又は２４６が、一連の稜部の間にわたって透明薄膜２５４及び反射薄膜２５８を吊架するために準備される。頂部の直線の方向に対して横断する稜部の頂部形状は、用途に適した任意の幾何形状にすることができるが、一般には山頂形状が望ましい。本発明は、前記のとおり、延在する方向に沿った稜部形状は、直線である必要がないことを予定する。実際、本発明は、いくつかの状況で、横方向、若しくは深さ方向、又はその両方で稜部に曲率を提供することの利点を予定している。
【００９４】
吊架薄膜１６５又は２４８は、重力、遠心、磁気、電気、差圧、又はそれらの影響の任意の組合せによって課される力を付加することを使用して、所望の外形（形状）に変形される。重力及び遠心によって誘発される変形の場合、薄膜１６５又は２４８の弾性及び質量が、力によって生じる変形の主要な因子である。磁気及び電気技法では、主要な因子として、ツール底部と薄膜との間の磁場及び電場強度が薄膜の弾性と組み合わさる。
【００９５】
差圧の力の場合、薄膜１６５又は２４８は、薄膜１６５又は２４８の両側を分離可能な流体（気体、液体、又はその両方の組合せ）によって取り囲まれる。薄膜１６５又は２４８の反対側に流体差圧が加えられて、所望の形状へ一様に変形を生じる。
【００９６】
薄膜１６５又は２４８を所望の形状に変形するための前記の力の生成の任意のもの又は全てにおいて、薄膜１６５又は２４８の性質は、薄膜１６５又は２４８がさらされる物理的及び化学的環境内で温度変化及び他の変化を加えることによって修正することができる。本発明は、そのような調整の適用を予定している。
【００９７】
薄膜の吊架のための縁部として働く図１０及び図２２で見られる一連の稜部は、稜部の間の深さに対して十分に高くなるように設計されており、所望の形状への変形中に、吊架の下の領域で、薄膜１６５又は２４８がその下にあるツール１３４又は２４６に触れる必要はない。接触が起こる場合、ツールの仕上げが薄膜１６５又は２４８の形状に転写されない（押し付けない）ように、ツールに対する圧力を軽く保つことができる（注：反射材料は、吊り下げプロセスの前又は後にミラー表面に塗布することができ、その両方が本発明によって予定されている）。
【００９８】
吊架薄膜１６５又は２４８に対する力により所望の形状が形成されると、バルク透明材料が付与される。次に、（冷却、化学的な相互作用などによって）この材料を硬化させて、又はその他の方法で凝固させて、レンズの形状を固定することができる。円柱レンズ表面の製造に使用される薄膜１６５及び２４８の化学的、光学的、及び物理的な性質は、レンズの所望の光学的形状を固定するために使用されるバルク材料の対応する性質とは大きく異なる場合がある。これらの相違は、有利となるように選択できる。例えば、光学的に透明なバルク材料２５６が標準的エポキシである場合、レンズ配列に対する環境及び機械的（引っかきなど）影響からの保護をより頑強にするために、いくつかの透明薄膜の化学的性質が利用可能である。さらに、前記のとおり、薄膜１６５又は２４８の屈折率は、バルク材料の屈折率よりも小さくなるように選択することができ、それによりバルク材料のための固い反射防止シールドが形成される。
【００９９】
円柱形ミラーの配列は、円柱レンズの配列の作製と同様にして作製される。すなわち、薄膜１６５又は２４８が一連の稜部にわたって吊架され、レンズ配列製造に関して説明した任意の様式で変形され、次いで、バスク基質の使用によって形状を固定される。しかし、この場合、薄膜１６５又は２４８は、吊架及び固定の前、途中、又は後に、反射性にされる（前記のとおり、円柱形反射器配列の向きは、意図的に、円柱形屈折器（レンズ）配列の向きと異なる）。
【０１００】
好ましい実施例では、レンズ薄膜２５４及びミラー薄膜２５８は、互いに面する２つのツールを用いて同時に吊架される。２つのツールの縁部の周りに障壁が配置され、それにより、バルク材料２５６は、薄膜２５４及び２５８の間から漏れ出すことなく２つの薄膜２５４及び２５８の間に流し込むことができ、図２４に示される３つの要素をまとめることによって絵的に想像することができるように、両方の薄膜２５４及び２５８、並びにそれらの形状が同時に固定されて一体（モノリシック）部片にされる。本発明は、モノリシック製造ではなく、一体に接着される部片を用いて複数の工程でバルク充填材２５６を提供できることも予定されている。
【０１０１】
この好ましい実施例は、観察可能且つ及び紫外線に対して透明な材料２５６から吊架ツールの少なくとも１つを作製することを含む。これは、薄膜２５４及び２５８、並びにバルク充填材料２５６が製造中に導入される際にそれらの視覚検査を可能にし、その後、薄膜及びバルク材料の外観が許容可能になると、適切なポリマーのＵＶ硬化が行われる。
【０１０２】
本発明の一般的な特徴は、屈折及び反射形態の形状（曲率）の相違を許す。実際、本発明では、それらがしばしば異なるように設計されることが予定されている。
【０１０３】
さらに、形態選択肢のうち、反射光の傾斜を容易にする小さなプリズムを作製するような透明バルク充填材２５６の形状選択肢を利用できることが予定されている。これは、大きな映写スクリーン２６２の広がり全体にわたる所要の看者体積部を実現するために、高利得に作製されたスクリーン２６２が湾曲状に形成される必要がないことを意味する。本発明は、吊架稜部の高さを階段状に鋳造し、透明薄膜２５４のいくらかをその中立側（投影光が当たらない場合には、得られるプリズムの背面）で壁に対してきつく引っ張ることによって、このプリズムの利点を実現することができる。階段状鋳造実施例に対する１つの代替形態は、バルク充填材２５６の屈折率と異なる屈折率のプリズムの埋込みである。
【０１０４】
本発明の説明は、単に例示的な性質のものであり、したがって、本発明の要旨から逸脱しない変形は本発明の範囲内に入るものと意図される。そのような変形は、本発明の原理及び範囲からの逸脱とはみなされない。
【図面の簡単な説明】
【０１０５】
【図１Ａ】光を受け取る湾曲面と、光が出る平坦面とを有する第１の軸状光学要素の斜視図であって、出た光が焦点面でラインに合焦される様子を示す図。
【図１Ｂ】光を受け取る平坦面と、光が出る湾曲面とを有する第２の軸状光学要素の斜視図であって、出た光が焦点面でラインに合焦される様子を示す図。
【図１Ｃ】光の物理的障害物を示す斜視図。
【図１Ｄ】光の部分的な物理的障害物を示す斜視図。
【図２Ａ】相互に垂直に配置され、湾曲面を互いに向けるように方向付けられた第１及び第２の軸状光学要素の斜視図であって、さらに、両方の軸状光学要素を通過する光が単一焦点を結ぶ例を示す図。
【図２Ｂ】図２Ａの上面図であって、第１及び第２の軸状光学要素が、相互に垂直に配置され、湾曲面を互いに向けるように方向付けられており、さらに、両方の軸状光学要素を通過する光が単一の焦点を結ぶ例を示す図。
【図２Ｃ】図２Ａの側面図であって、第１及び第２の軸状光学要素が、相互に垂直に配置され、湾曲面を互いに向けるように方向付けられており、さらに、両方の軸状光学要素を通過する光が単一の焦点を結ぶ例を示す図。
【図３Ａ】相互に垂直に配置され、平坦面を互いに向けるように位置付けられた第１及び第２の軸状光学要素の斜視図であって、さらに、両方の軸状光学要素を通過する光が単一の焦点を結ぶ例を示す図。
【図３Ｂ】図３Ａの上面図であって、平坦面を互いに向けるように位置付けられた第１及び第２の軸状光学要素の斜視図であって、さらに、両方の軸状光学要素を通過する光が単一の焦点を結ぶ例を示す図。
【図３Ｃ】図３Ａの側面図であって、平坦面を互いに向けるように位置付けられた第１及び第２の軸状光学要素の斜視図であって、さらに、両方の軸状光学要素を通過する光が単一の焦点を結ぶ例を示す図。
【図４】交差された関係で配置され、湾曲面を互いに向けて位置付けられた第１及び第２の軸状光学要素の斜視図であって、光が、光源から出て２つの交差レンズを通過すると視準される様子を示す図。
【図５】軸状レンズ要素の配列の斜視図。
【図６Ａ】相互に垂直に配置され、湾曲面を互いに向けて位置付けられた第１の軸状レンズ要素の配列および第２の軸状光学要素の配列の斜視図であって、両方の軸状光学要素を通過する光が一連の単一の焦点を結ぶ例を示す図。
【図６Ｂ】図６Ｂの軸状レンズ要素の配列の別の斜視図。
【図６Ｃ】図６Ａの上面図であって、第１及び第２の軸状レンズ要素の配列が、相互に垂直に配置され、湾曲面を互いに向けて位置付けられている図。
【図７Ａ】第１の軸状レンズ要素の配列の平坦面が第２の軸状レンズ要素の配列の丸みを付けられた表面に最近接し、第１の配列が、第２の配列の上方にあり、第２の配列に対して垂直に向けられている第１の配列、および得られる投影の斜視図を例示する図。
【図７Ｂ】図７Ａに示される実施例の側面図。
【図７Ｃ】図７Ａに示される実施例の上面図。
【図８Ａ】湾曲面を互いに面して、垂直に向けられた第１及び第２の軸状レンズ要素配列の重なり領域の上面図であり、得られる投影が隠された図である。
【図８Ｂ】図８Ａに示されるように、湾曲面を互いに面して垂直に向けられた第１及び第２の軸状レンズ要素配列の斜視図であり、得られる投影を示す斜視図。
【図８Ｃ】湾曲面を互いに面して、４５度の向きで向けられた第１及び第２の軸状レンズ要素配列の上面図であり、得られる投影が隠された図。
【図８Ｄ】図８Ｃに示されるように、湾曲面を互いに面して、４５度の向きで向けられた第１及び第２の軸状レンズ要素配列の斜視図であり、得られる投影を示す斜視図。
【図８Ｅ】湾曲面を互いに面して、見当合わせされて向けられた第１及び第２の軸状レンズ要素配列の上面図であり、得られる投影が隠された図。
【図８Ｆ】図８Ｅに示されるように、湾曲面を互いに面して、見当合わせされて向けられた第１及び第２の軸状レンズ要素配列の斜視図であり、得られる投影が示された斜視図。
【図９Ａ】軸状光学要素配列に関する第１の湾曲面の側面図。
【図９Ｂ】軸状光学要素配列に関する第２の湾曲面の側面図。
【図９Ｃ】軸状光学要素配列に関するバッフルを有する第３の湾曲面の側面図。
【図９Ｄ】軸状光学要素配列に関する一連の平坦頂点形成面の側面図。
【図９Ｅ】軸状光学要素配列に関する一連の不均一湾曲面の側面図。
【図１０】ツール上で吊架された薄膜の斜視図。
【図１１】外部付属部品を有する金型の斜視図。
【図１２】図１１の金型の正面組立図。
【図１３】本発明の交差光学配列を使用する背面映写スクリーン・システムを例示する図。
【図１４】光源と、合成映像と、レンズ配列と、２つの看者角度領域内の２つの異なる観察可能映像とのそれぞれの位置、並びに選択されたレンズ源グループから来る例示の光線と共に、空間多重映像デコンボルバとしての実用的な用途の部類の一般的な概念を例示する図。
【図１５】合成映像を構成する９×９画素配列、総計８１個の画素と、９個の画素から構成される１つの源映像とを例示する図。
【図１６】映像がその焦点に位置される際のレンズの一般的な特徴と、中心光線が３つの画素のそれぞれから来る際の観察可能映像に対する合成映像内の画素配置の関係とを示す図であり、さらに、各レンズ源グループ内部での画素の配置が非常に特有のものであり、画素の配置は屈折光学系の特性に従い、そのエネルギーが、看者に向けて送るべき源映像を構成する他の画素と同じ方向に送られる様子を例示する図。
【図１７】合成映像の要素に対して焦点距離、サイズ、及び位置を合致された３つのレンズの断面を例示する図であって、各レンズが、図１６に例示されるのとは異なる方向に映像要素を分離している図。この図に例示される実施例では、９×９レンズ源グループに重ねられた９×９レンズ配列が、図１４の空間多重要素を９個の個別源映像、ここでは観察可能映像に逆畳み込みする。
【図１８】１次元レンズ配列を例示する図。
【図１９】２次元レンズ配列を例示する図。
【図２０】ガラス・ビード・スクリーンの基本的な概念を例示する図。
【図２１】ガラス・ビードに関連付けられるクロストークの問題を例示する図。
【図２２】円柱レンズ内に進み、鏡面反射器によって裏当てされた同じレンズを通って反射して戻る入射映写機光を例示する図。
【図２３】密接に間隔を空けられた円柱レンズ配列の作製のための薄膜吊架構成の一例を示す図。
【図２４】バルク透明屈折充填材料に対して円柱形態で接着される透明薄膜と、バルク充填材の反対の側で円柱形態と接着される反射薄膜との全般的な概念を例示する図。
【図２５Ａ】典型的な個別のセルの前面斜視図であり、本発明による構成の効果が、高利得の改善されたコントラスト及び複数映像化能力など、従来の前面映写スクリーン技術に勝る多くの利点を有する映写スクリーン反射セルのマトリックスを作製することであることを示す図。
【図２５Ｂ】図２５Ａのセルの側面斜視図。
【図２５Ｃ】図２５Ａのセルの側面斜視図。
【図２６】小さなセル・サイズが薄い可撓性スクリーンをもたらす場合の高可撓性スクリーンを例示する図。
【図１Ａ】
2007516469.tif 000003
【図１Ｂ】
2007516469.tif 000004
【図１Ｃ】
2007516469.tif 000005
【図１Ｄ】
2007516469.tif 000006
【図２Ａ】
2007516469.tif 000007
【図２Ｂ】
2007516469.tif 000008
【図２Ｃ】
2007516469.tif 000009
【図３Ａ】
2007516469.tif 000010
【図３Ｂ】
2007516469.tif 000011
【図３Ｃ】
2007516469.tif 000012
【図４】
2007516469.tif 000013
【図５】
2007516469.tif 000014
【図６Ａ】
2007516469.tif 000015
【図６Ｂ】
2007516469.tif 000016
【図６Ｃ】
2007516469.tif 000017
【図７Ａ】
2007516469.tif 000018
【図７Ｂ】
2007516469.tif 000019
【図７Ｃ】
2007516469.tif 000020
【図８Ａ】
2007516469.tif 000021
【図８Ｂ】
2007516469.tif 000022
【図８Ｃ】
2007516469.tif 000023
【図８Ｄ】
2007516469.tif 000024
【図８Ｅ】
2007516469.tif 000025
【図８Ｆ】
2007516469.tif 000026
【図９Ａ】
2007516469.tif 000027
【図９Ｂ】
2007516469.tif 000028
【図９Ｃ】
2007516469.tif 000029
【図９Ｄ】
2007516469.tif 000030
【図９Ｅ】
2007516469.tif 000031
【図１０】
2007516469.tif 000032
【図１１】
2007516469.tif 000033
【図１２】
2007516469.tif 000034
【図１３】
2007516469.tif 000035
【図１４】
2007516469.tif 000036
【図１５Ａ】
2007516469.tif 000037
【図１５Ｂ】
2007516469.tif 000038
【図１６】
2007516469.tif 000039
【図１７】
2007516469.tif 000040
【図１８】
2007516469.tif 000041
【図１９】
2007516469.tif 000042
【図２０】
2007516469.tif 000043
【図２１】
2007516469.tif 000044
【図２２】
2007516469.tif 000045
【図２３】
2007516469.tif 000046
【図２４】
2007516469.tif 000047
【図２５Ａ】
2007516469.tif 000048
【図２５Ｂ】
2007516469.tif 000049
【図２５Ｃ】
2007516469.tif 000050
【図２６】
2007516469.tif 000051
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
第１の独立軸状光学要素の配列を含む光学システムにおいて、前記第１の独立軸状光学要素の配列が、
第１の材料シートと、
前記第１の材料シートに固定された凝固充填材料と
を含む光学システム。
【請求項２】
前記第１の独立軸状光学要素の配列に接合された第２の独立軸状光学要素の配列をさらに含む請求項１に記載された光学システム。
【請求項３】
前記第２の独立軸状光学要素の配列が、前記凝固充填材料に固定された第２の材料シートを含む請求項２に記載された光学システム。
【請求項４】
前記第２の材料シートが透明である請求項３に記載された光学システム。
【請求項５】
前記第２の材料シートが反射性である請求項３に記載された光学システム。
【請求項６】
前記第２の独立軸状光学要素の配列が、前記第１の独立軸状光学要素の配列に電磁気的に連絡し、入射する平行光に対して複数の焦点を形成するように相対的に配置され、それにより複数の映像が作られるようになっている請求項２から請求項５までのいずれか１項に記載された光学システム。
【請求項７】
前記第２の独立軸状光学要素の配列が、正弦、曲線、バッフル付き、平坦頂点形成、及び不均一曲線からなる群から選択される断面を有することができる請求項２から請求項６までのいずれか１項に記載された光学システム。
【請求項８】
前記第１の材料シートが透明である請求項１から請求項７までのいずれか１項に記載された光学システム。
【請求項９】
前記第１の材料シートが反射性である請求項１から請求項７までのいずれか１項に記載された光学システム。
【請求項１０】
前記第１の独立軸状光学要素の配列が、正弦、曲線、バッフル付き、平坦頂点形成、及び不均一曲線からなる群から選択される断面を有することができる請求項１から請求項９までのいずれか１項に記載された光学システム。
【請求項１１】
第１の材料シートに差圧を加え、前記第１の材料シートの一部分を湾曲位置に移動させる段階を含む、光学配列を製造する方法。
【請求項１２】
前記第１の材料シートをツール上に吊架する段階をさらに含む請求項１１に記載された光学配列を製造する方法。
【請求項１３】
前記第１の材料シートの一方の側に充填材料を付与して、軸状光学配列を形成する段階をさらに含む請求項１１又は請求項１２に記載された光学配列を製造する方法。
【請求項１４】
前記軸状光学配列が、正弦、曲線、バッフル付き、平坦頂点形成、及び不均一曲線からなる群から選択される断面を有することができる請求項１３に記載された光学配列を製造する方法。
【請求項１５】
第２の材料シートに差圧を加える段階と、
前記第１の材料シートの一方の側と前記第２の材料シートの一方の側との間の空間を充填材料で充填して、軸状光学配列を形成する段階と
をさらに含む請求項１１に記載された光学配列を製造する方法。
【請求項１６】
前記第１の材料シートを第１のツール上に吊架する段階と、
前記第２の材料シートを第２のツール上に吊架する段階と、
前記第１の材料シートと第２の材料シートとの間の前記空間を形成するために前記第１のツール及び第２のツールを位置決めする段階と
をさらに含む請求項１５に記載された光学配列を製造する方法。
【請求項１７】
前記軸状光学配列が、正弦、曲線、バッフル付き、平坦頂点形成、及び不均一曲線からなる群から選択される断面を有することができる請求項１５又は請求項１６に記載された光学配列を製造する方法。
【請求項１８】
前記第２の材料シートが反射性である請求項１５から請求項１７までのいずれか１項に記載された光学配列を製造する方法。
【請求項１９】
前記第２の材料シートが透明である請求項１５から請求項１７までのいずれか１項に記載された光学配列を製造する方法。
【請求項２０】
前記第１の材料シートが反射性である請求項１１から請求項１９までのいずれか１項に記載された光学配列を製造する方法。
【請求項２１】
前記第１の材料シートが透明である請求項１１から請求項１９までのいずれか１項に記載された光学配列を製造する方法。
【国際調査報告】
2007516469.tif 000052
2007516469.tif 000053